(57)【特許請求の範囲】
【請求項１】
一対の縦枠間に互いに上下方向に並置された複数のスラットからなるブラインドと、スラットの夫々の端部を連結していると共に、縦枠の外に配された折り畳み自在なリンク機構と、最上位のスラットを持上げて、ブラインドを開口部閉鎖位置に配するリンク持上げ機構と、リンク機構を介してスラットの夫々を傾動させるチルト機構とを具備しており、リンク機構は、一対の並置されたリンク列を具備しており、各リンク列は、夫々が剛性細棒状材を折り曲げてなると共に互いに回動自在に連結された少なくとも一対のリンク部材を具備しており、一方のリンク部材は、隣接するスラットのうちの一方のスラットに、他方のリンク部材は、隣接するスラットのうちの他方のスラットに夫々回動自在に連結されており、両リンク部材の夫々は、互いに平行な一対の本体と、この一対の本体の一方の端部に一体的に設けられたフック状部とを具備しており、両リンク部材は、夫々の一対の本体の他方の端部において互いに回動自在に連結されており、一方のリンク部材は、隣接するスラットのうちの一方のスラットに、他方のリンク部材は、隣接するスラットのうちの他方のスラットに、夫々のフック状部を介して回動自在に連結されており、一方のリンク部材は、一対の本体の夫々の他方の端部に一体的に設けられた軸部を具備しており、他方のリンク部材は、一対の本体の夫々の他方の端部に一体的に設けられていると共に、軸部に回動自在に巻回した一対の巻回部と、この巻回部に一体的に設けられていると共に、一方のリンク部材の本体に係合するように横方向に突出した係合部とを具備しており、リンク列の折り畳みにおける両リンク部材の折り畳み方向は、係合部と本体との係合により特定されるようになっているブラインド装置。
【請求項２】
一対の縦枠間に互いに上下方向に並置された複数のスラットからなるブラインドと、スラットの夫々の端部を連結していると共に、縦枠の外に配された折り畳み自在なリンク機構と、最上位のスラットを持上げて、ブラインドを開口部閉鎖位置に配するリンク持上げ機構と、リンク機構を介してスラットの夫々を傾動させるチルト機構とを具備しており、リンク機構は、一対の並置されたリンク列を具備しており、各リンク列は、夫々が剛性細棒状材を折り曲げてなると共に互いに回動自在に連結された少なくとも一対のリンク部材を具備しており、一方のリンク部材は、隣接するスラットのうちの一方のスラットに、他方のリンク部材は、隣接するスラットのうちの他方のスラットに夫々回動自在に連結されており、両リンク部材の夫々は、互いに平行な一対の本体と、この一対の本体の一方の端部に一体的に設けられたフック状部とを具備しており、両リンク部材は、夫々の一対の本体の他方の端部において互いに回動自在に連結されており、一方のリンク部材は、隣接するスラットのうちの一方のスラットに、他方のリンク部材は、隣接するスラットのうちの他方のスラットに、夫々のフック状部を介して回動自在に連結されており、一方のリンク部材は、一対の本体の他方の端部に一体的に設けられた他のフック状部を具備しており、他方のリンク部材は、一対の本体の他方の端部に一体的に設けられた軸部を具備しており、他のフック状部と軸部とは、互いに回動自在に連結されているブラインド装置。
【請求項３】
一方のリンク部材は、他のフック状部に一体的に設けられた係合部を具備しており、他方のリンク部材は、軸部に一体的に設けられていると共に、係合部に係合される被係合部を具備しており、リンク列の折り畳みにおいて両リンク部材の折り畳み方向は、係合部と被係合部との係合により特定されるようになっている請求項２に記載のブラインド装置。
【請求項４】
両リンク部材は、相互に分離自在に連結されている請求項２又は３に記載のブラインド装置。
【請求項５】
一対の縦枠間に互いに上下方向に並置された複数のスラットからなるブラインドと、スラットの夫々の端部を連結していると共に、縦枠の外に配された折り畳み自在なリンク機構と、最上位のスラットを持上げて、ブラインドを開口部閉鎖位置に配するリンク持上げ機構と、リンク機構を介してスラットの夫々を傾動させるチルト機構とを具備しており、リンク機構は、一対の並置されたリンク列を具備しており、各リンク列は、夫々が剛性細棒状材を折り曲げてなると共に互いに回動自在に連結された少なくとも一対のリンク部材を具備しており、一方のリンク部材は、隣接するスラットのうちの一方のスラットに、他方のリンク部材は、隣接するスラットのうちの他方のスラットに夫々回動自在に連結されており、両リンク部材の夫々は、互いに平行な一対の本体と、この一対の本体の一方の端部に一体的に設けられたフック状部とを具備しており、両リンク部材は、夫々の一対の本体の他方の端部において互いに回動自在に連結されており、一方のリンク部材は、隣接するスラットのうちの一方のスラットに、他方のリンク部材は、隣接するスラットのうちの他方のスラットに、夫々のフック状部を介して回動自在に連結されており、スラットの端部の前縁及び後縁には軸部が配されており、最上位のスラットの軸部には、両リンク部材のフック状部のうちのいずれか一方が、最下位のスラットの軸部には、両リンク部材のフック状部のうちのいずれか他方が、最上位と最下位との間のスラットの軸部には、両リンク部材のフック状部が夫々回動自在に掛けられているブラインド装置。
【請求項６】
一対の縦枠間に互いに上下方向に並置された複数のスラットからなるブラインドと、スラットの夫々の端部を連結していると共に、縦枠の外に配された折り畳み自在なリンク機構と、最上位のスラットを持上げて、ブラインドを開口部閉鎖位置に配するリンク持上げ機構と、リンク機構を介してスラットの夫々を傾動させるチルト機構とを具備しており、リンク機構は、一対の並置されたリンク列を具備しており、各リンク列は、夫々が剛性細棒状材を折り曲げてなると共に互いに回動自在に連結された少なくとも一対のリンク部材を具備しており、一方のリンク部材は、隣接するスラットのうちの一方のスラットに、他方のリンク部材は、隣接するスラットのうちの他方のスラットに夫々回動自在に連結されており、両リンク部材の夫々は、互いに平行な一対の本体と、この一対の本体の一方の端部に一体的に設けられたフック状部とを具備しており、両リンク部材は、夫々の一対の本体の他方の端部において互いに回動自在に連結されており、一方のリンク部材は、隣接するスラットのうちの一方のスラットに、他方のリンク部材は、隣接するスラットのうちの他方のスラットに、夫々のフック状部を介して回動自在に連結されており、スラットの軸部とフック状部との間には、夫々の相互変位が可能になるように隙間が設けられているブラインド装置。
【請求項７】
縦枠は、上下方向に伸びたスリットを有しており、各スラットの夫々の端部には、縦枠のスリットを通って上下方向に移動自在なスラット位置保持手段が設けられている請求項１から６のいずれか一項に記載のブラインド装置。
【請求項８】
スラットは、スラット本体と、このスラット本体の前縁及び後縁に一体的に設けられた筒状部とを具備しており、スラット位置保持手段は、剛性細棒状材を折り曲げてなるスラット位置保持部材を具備しており、スラット位置保持部材は、スリットを通る一対の本体部と、前縁及び後縁の筒状部の夫々に挿入された一対の軸部と、縦枠内に配された一対の本体部の一端を相互に連結すると共に、スリットを介する縦枠外への抜け出しを防止するように折り曲げられた連結折り曲げ部とを有している請求項７に記載のブラインド装置。
【請求項９】
各リンク列は、スラット位置保持部材の軸部を介してスラットの夫々の端部に回動自在に連結されている請求項８に記載のブラインド装置。
【請求項１０】
スラットの夫々の端部には凹所が形成されており、各リンク列は、この凹所においてスラットの夫々の端部に回動自在に連結されている請求項１から９のいずれか一項に記載のブラインド装置。
【請求項１１】
チルト機構は、各スラットを、開口部閉鎖状態では互いに間隔を有して傾斜させ、開口部開放状態では実質的に水平に配されて互いに重ね合わせるようになっている請求項１から１０のいずれか一項に記載のブラインド装置。
【請求項１２】
チルト機構は、最上位のスラットの端部に取り付けられた回動自在軸と、この回動自在軸に固着されていると共に、縦枠の内部に配された回動自在アームと、この回動自在アームを最上位のスラットの上昇及び下降において揺動させるカム面とを具備している請求項１から１１のいずれか一項に記載のブラインド装置。
【発明の詳細な説明】
【０００１】
【発明の属する技術分野】
本発明は、建物の窓等に配置し、必要に応じてこれら窓等の目隠しをするブラインド装置に関する。
【０００２】
【発明が解決しようとする課題】
この種のブラインド装置は、通常、上下方向に並置された複数のスラットからなるブラインドを上方に配置し、昇降装置の作動により当該ブラインドを上方から下降させて建物の窓等の開口部を目隠しし、昇降装置の逆作動によりブラインドを上昇させて開口部を開口するように、構成されている。
【０００３】
斯かるブラインド装置では、上記のように、開口部の開口の際には、ブラインドを構成する複数のスラットが開口部の上方に、通常、互いに密に重合されて配置されるため、全開時でも、重合されたスラットにより開口部が一部閉鎖されたようになり、開口部の全開時に十分な解放感を味わうことができず、目障りとなる。これをなくすためにスラット収容枠を上方に設けても、スラット収容枠分の占有空間を上方に必要とし、一般の家屋、ビル等においてはこれが困難な場合があり、必ずしも満足し得るものではない。また、開口部の下方のみの目隠しを行いたい場合等においては、従来のブラインド装置ではそれができないという問題もある。
【０００４】
そこで、開口部の開口の際には、ブラインドを構成する複数のスラットを開口部の下方に重ね合わせて配置し、開口部の閉鎖の際には、スラットをリンク機構を介して持ち上げるようにしたブラインド装置が提案されており、この提案のブラインド装置によれば上記の種々の問題点を好ましく解決でき、その点では満足できるのであるが、斯かるブラインド装置を横方向に並んだビルの窓の夫々に並置する際には、柱幅との関連でブラインド装置とブラインド装置との間を狭くすることが要求される結果、リンク機構等を収容する縦枠もまた狭幅にすることが必要となるが、斯かる狭幅の縦枠では、リンク機構の取り付け作業、更には、保守、点検が極めて困難となる。
【０００５】
そして、リンク機構には、通常、板状のリンク部材が用いられるが、斯かるリンク部材であると、リンク部材の回動自在な相互連結のために別個の軸又はピン及びこの軸又はピンの抜け出し防止のためにリング、ナット又はかしめを必要とし、部品点数の増加に加えて構造が複雑となると共に組立てに多くの時間を必要としてコストアップになる上に、リンク機構の重量増加を招来して軽快にブラインドを上昇し難くなる。
【０００６】
本発明は、前記諸点に鑑みてなされたものであって、その目的とするところは、縦枠を狭幅にし得て、しかも、リンク機構の取り付け作業、保守、点検を容易に行い得、而して、ビル等において横方向に並んだ複数の窓の夫々に好ましく並置し得、加えて、部品点数を減少できて簡単な構造であって、その上、容易に組立てることができる結果、コストを大幅に削減できると共に、リンク機構を軽量化できて軽快なブラインドの上昇を期待できるブラインド装置を提供することにある。
【０００７】
【課題を解決するための手段】
本発明の第一の態様のブラインド装置は、一対の縦枠間に互いに上下方向に並置された複数のスラットからなるブラインドと、スラットの夫々の端部を連結していると共に、縦枠の外に配された折り畳み自在なリンク機構と、最上位のスラットを持上げて、ブラインドを開口部閉鎖位置に配するリンク持上げ機構と、リンク機構を介してスラットの夫々を傾動させるチルト機構とを具備しており、ここで、リンク機構は、一対の並置されたリンク列を具備しており、各リンク列は、夫々が剛性細棒状材を折り曲げてなると共に互いに回動自在に連結された少なくとも一対のリンク部材を具備しており、一方のリンク部材は、隣接するスラットのうちの一方のスラットに、他方のリンク部材は、隣接するスラットのうちの他方のスラットに夫々回動自在に連結されている。
【０００８】
第一の態様のブラインド装置によれば、各リンク列がスラットの夫々に回動自在に連結されて、リンク機構が縦枠の外に配されているために、縦枠を狭幅にできる上に、リンク機構の取り付け作業、保守、点検を容易に行い得、而して、ビル等において横方向に並んだ窓の夫々に好ましく並置し得、しかも、一対のリンク部材の夫々が剛性細棒状材を折り曲げてなると共に互いに回動自在に連結されているために、部品点数を減少できて簡単な構造であって、その上、容易に組立てることができる結果、コストを大幅に削減できると共に、リンク機構を軽量化できて軽快なブラインドの上昇を期待でき、また各スラットがその端部で一対のリンク列により支持されているために、何らかの故障によるスラットの落下の虞を低減でき、フェールセーフなものとし得る。
【０００９】
本発明の第二の態様のブラインド装置では、第一の態様のブラインド装置において、両リンク部材の夫々は、互いに平行な一対の本体と、この一対の本体の一方の端部に一体的に設けられたフック状部とを具備しており、両リンク部材は、夫々の一対の本体の他方の端部において互いに回動自在に連結されており、一方のリンク部材は、隣接するスラットのうちの一方のスラットに、他方のリンク部材は、隣接するスラットのうちの他方のスラットに、夫々のフック状部を介して回動自在に連結されている。
【００１０】
第二の態様のブラインド装置によれば、リンク部材の夫々がフック状部を具備し、両リンク部材が夫々の一対の本体の他方の端部において互いに回動自在に連結されているために、各スラットにフック状部を介してリンク部材を回動自在に容易に連結でき、而して、更にその組立てが容易になる。
【００１１】
本発明の第三の態様のブラインド装置では、第二の態様のブラインド装置において、一方のリンク部材は、一対の本体の夫々の他方の端部に一体的に設けられた軸部を具備しており、他方のリンク部材は、一対の本体の夫々の他方の端部に一体的に設けられていると共に、軸部に回動自在に巻回した一対の巻回部と、この巻回部に一体的に設けられていると共に、一方のリンク部材の本体に係合するように横方向に突出した係合部とを具備しており、リンク列の折り畳みにおける両リンク部材の折り畳み方向は、係合部と本体との係合により特定されるようになっており、本発明の第四の態様のブラインド装置では、第二の態様のブラインド装置において、一方のリンク部材は、一対の本体の他方の端部に一体的に設けられた他のフック状部を具備しており、他方のリンク部材は、一対の本体の他方の端部に一体的に設けられた軸部を具備しており、他のフック状部と軸部とは、互いに回動自在に連結されており、本発明の第五の態様のブラインド装置では、第四の態様のブラインド装置において、一方のリンク部材は、他のフック状部に一体的に設けられた係合部を具備しており、他方のリンク部材は、軸部に一体的に設けられていると共に、係合部に係合される被係合部を具備しており、リンク列の折り畳みにおいて両リンク部材の折り畳み方向は、係合部と被係合部との係合により特定されるようになっており、本発明の第六の態様のブラインド装置では、第四又は第五の態様のブラインド装置において、両リンク部材は、相互に分離自在に連結されている。
【００１２】
第三の態様のブラインド装置では、両リンク部材を極めて簡単な構成により互いに回動自在に連結することができる上に、その折り畳み方向を特定でき、第四の態様のブラインド装置では、第三の態様のブラインド装置と同様に、両リンク部材を極めて簡単な構成により互いに回動自在に連結することができ、第五の態様のブラインド装置では、両リンク部材を極めて簡単な構成によりその折り畳み方向を特定でき、第六の態様のブラインド装置では、両リンク部材を相互に分離できるために、製造、運搬が極めて容易になる。
【００１３】
本発明の第七の態様のブラインド装置では、第二から第六のいずれかの態様のブラインド装置において、スラットの端部の前縁及び後縁には軸部が配されており、最上位のスラットの軸部には、両リンク部材のフック状部のうちのいずれか一方が、最下位のスラットの軸部には、両リンク部材のフック状部のうちのいずれか他方が、最上位と最下位との間のスラットの軸部には、両リンク部材のフック状部が夫々回動自在に掛けられている。
【００１４】
第七の態様のブラインド装置によれば、スラットの端部の前縁及び後縁の軸部にリンク部材のフック状部を単に引っ掛けてスラットを連結でき、リンク機構とスラットとの組立て、スラットの交換等におけるリンク機構とスラットとの分解が更に容易になる。
【００１５】
本発明の第八の態様のブラインド装置では、第二から第七のいずれかの態様のブラインド装置において、スラットの軸部とフック状部との間には、夫々の相互変位が可能になるように隙間が設けられている。
【００１６】
第八の態様のブラインド装置によれば、スラットの軸部とフック状部との相互変位が隙間により可能になっているために、開口部の開口の際におけるスラットの重ね合わせで、折り畳まれたリンク機構の各リンク部材をスラットの形状に沿わせることができ、而して、重ね合わされたスラットの間隔を極めて短くできる。
【００１７】
本発明の第九の態様のブラインド装置では、第一から第八のいずれかの態様のブラインド装置において、縦枠は、上下方向に伸びたスリットを有しており、各スラットの夫々の端部には、縦枠のスリットを通って上下方向に移動自在なスラット位置保持手段が設けられている。
【００１８】
第九の態様のブラインド装置によれば、スラット位置保持手段により各スラットの端部を縦枠のスリットの位置に保持できるので、風等によりブラインドが揺れることをなくし得る。
【００１９】
本発明の第十の態様のブラインド装置では、第九の態様のブラインド装置において、スラットは、スラット本体と、このスラット本体の前縁及び後縁に一体的に設けられた筒状部とを具備しており、スラット位置保持手段は、剛性細棒状材を折り曲げてなるスラット位置保持部材を具備しており、スラット位置保持部材は、スリットを通る一対の本体部と、前縁及び後縁の筒状部の夫々に挿入された一対の軸部と、縦枠内に配された一対の本体部の一端を相互に連結すると共に、スリットを介する縦枠外への抜け出しを防止するように折り曲げられた連結折り曲げ部とを有している。
【００２０】
第十の態様のブラインド装置によれば、スラット位置保持手段が剛性細棒状材を折り曲げてなるスラット位置保持部材を具備し、斯かるスラット位置保持部材の一対の軸部の夫々がスラットの前縁及び後縁の筒状部の夫々に挿入されているために、スラット位置保持手段のスラットへの装着、取外しを簡単に行い得ると共に更なる軽量化を図り得る。
【００２１】
尚、筒状部は、完全な筒状であってもよいが、半筒状であってもよく、また、円筒状であっても、角筒状であってもよく、要は、軸部を挿入できる形状であればよい。
【００２２】
本発明の第十一の態様のブラインド装置では、第十の態様のブラインド装置において、各リンク列は、スラット位置保持部材の軸部を介してスラットの夫々の端部に回動自在に連結されている。
【００２３】
第十一の態様のブラインド装置によれば、スラット位置保持部材の軸部を各リンク列に対する連結機構として利用できるために、スラットに各リンク列に対する連結機構を特に設けなくてもよく、リンク列を含めてスラットを極めて軽量かつ単純な形状とできる。
【００２４】
本発明の第十二の態様のブラインド装置では、第一から第十一のいずれかの態様のブラインド装置において、スラットの夫々の端部には凹所が形成されており、各リンク列は、この凹所においてスラットの夫々の端部に回動自在に連結されている。
【００２５】
第十二の態様のブラインド装置によれば、各リンク列が凹所においてスラットの夫々の端部に回動自在に連結されているので、リンク機構が縦枠の外に配されていても、スラットと縦枠との間の隙間をできる限り小さくでき、ブラインドによる開口部閉鎖機能をより完全に得ることができる。
【００２６】
本発明の第十三の態様のブラインド装置では、第一から第十二のいずれかの態様のブラインド装置において、チルト機構は、各スラットを、開口部閉鎖状態では互いに間隔を有して傾斜させ、開口部開放状態では実質的に水平に配されて互いに重ね合わせるようになっている。
【００２７】
第十三の態様のブラインド装置によれば、開口部閉鎖状態では各スラットが互いに間隔を有して傾斜されているので、この間隔を介して風を逃がすことができる結果、開口部閉鎖状態であって強風時に各スラットが風圧により過度に変形されることを防ぎ得る。
【００２８】
チルト機構は、本発明の第十四の態様のように、最上位のスラットの端部に取り付けられた回動自在軸と、この回動自在軸に固着されていると共に、縦枠の内部に配された回動自在アームと、この回動自在アームを最上位のスラットの上昇及び下降において揺動させるカム面とを具備していてもよい。
【００２９】
更に本発明では、リンク持上げ機構は、手動、電動のいずれであってもよく、加えて、最下位のスラットを弾性的な終端機構により弾性的に引っ張るようにしてもよく、斯かる終端機構により最下位のスラットを弾性的に下方に引っ張るようにすると、リンク機構を介して上位のスラットにその自重に加えて下降力を付与できるために、ブラインドによる開口部開放状態をより確実に且つ迅速に行わせることができる。
【００３０】
本発明におけるリンク持上げ機構としては、最上位のスラットに連結された可撓性の長尺体と、この長尺体を走行させる回転体を有した走行手段とを具備しているものを好ましい一つの例として挙げることができるが、斯かるリンク持上げ機構の長尺体としては、ベルト、ワイヤロープ、チェーン、ひも等を好ましい例として示すことができ、回転体としては、可撓性の長尺体としてベルト、ワイヤロープ又はひもが用いられる場合には、これらが掛けられ又は巻き付けられて係合するプーリが好ましく用いられ、長尺体としてチェーン又は歯付きベルトが用いられる場合には、チェーン又は歯付きベルトに噛み合って係合するスプロケットホイール又は歯付きプーリが好ましく用いられる。
【００３１】
次に本発明を、図に示す実施の形態の好ましい例を参照して更に詳細に説明する。なお、本発明はこれら例に何等限定されないのである。
【００３２】
【発明の実施の形態】
図１から図１２において、本例のブラインド装置１は、一対の縦枠２及び３間に互いに上下方向に並置された複数のスラット４からなるブラインド５と、スラット４の夫々の長手方向の端部６を支持しており、縦枠２及び３外に配された折り畳み自在なリンク機構７（縦枠３側は図示せず、以下同じ）と、最上位のスラット４を持上げて、ブラインド５を開口部閉鎖位置に配するリンク持上げ機構８と、リンク機構７を介してスラット４の夫々を傾動させるチルト機構９（縦枠３側は図示せず、以下同じ）と、各スラット４の夫々の端部６に設けられていると共に、縦枠２及び３の案内用のスリット１０（縦枠３側は図示せず、以下同じ）を通って上下方向に移動自在なスラット位置保持手段１１とを具備している。
【００３３】
縦枠３並びに縦枠３側のリンク機構、チルト機構及びスラット位置保持手段等の夫々は、縦枠２並びに縦枠２側のリンク機構７、チルト機構９及びスラット位置保持手段１１等の夫々と同様に構成されているため、以下主に縦枠２側について説明し、必要に応じて縦枠３側について説明する。
【００３４】
縦枠２と縦枠３とは、上枠１５により橋絡されて、ブラインド５により開放、閉鎖される開口部１６を形成している。縦枠２は、上下方向に伸びる上述のスリット１０を有している。
【００３５】
スラット４の夫々は、断面円弧状を有したスラット本体１７と、スラット本体１７の前縁及び後縁に一体的に設けられた筒状部、本例では半円筒部１８及び１９とを具備しており、スラット本体１７の夫々の長手方向の端部６には凹所２０及び２１が形成されている。
【００３６】
リンク機構７は、スラット本体１７の夫々の凹所２０及び２１を通って伸張すると共に並置された一対のリンク列２５及び２６を具備している。一対のリンク列２５及び２６は、互いに同様に形成されているので、以下、リンク列２５について詳細に説明し、リンク列２６についての詳細な説明を省略する。
【００３７】
リンク列２５は、隣接するスラット４間の夫々に、夫々が剛性細棒状材を折り曲げてなると共に互いに回動自在に連結された一対のリンク部材２７及び２８を具備しており、特に図１１に詳細に示すように、一対のリンク部材２７及び２８のうちの一方であって上位のリンク部材２７は、互いに平行な一対の本体２９及び３０と、一対の本体２９及び３０の夫々の一方の端部に一体的に設けられたフック状部３１及び３２と、一対の本体２９及び３０の夫々の他方の端部に、当該端部を互いに連結するように一体的に設けられた軸部３３とを具備しており、一対のリンク部材２７及び２８のうちの他方であって下位のリンク部材２８は、互いに平行な一対の本体３５及び３６と、一対の本体３５及び３６の夫々の一方の端部に一体的に設けられたフック状部４１及び４２と、フック状部４１及び４２に一体的に設けられていると共に、当該フック状部４１及び４２を互いに連結する連結部４３と、一対の本体３５及び３６の夫々の他方の端部に一体的に設けられていると共に、リンク部材２７の軸部３３に回動自在に巻回した一対の巻回部３７及び３８と、一対の巻回部３７及び３８に一体的に設けられていると共に、リンク部材２７の一対の本体２９及び３０の夫々に夫々が係合して、リンク列２５の折り畳みにおける両リンク部材２７及び２８の折り畳み方向を特定するように横方向に突出した一対の係合部３９及び４０とを具備している。
【００３８】
リンク部材２７は、フック状部３１及び３２がスラット４の端部６の前縁及び後縁に配された軸部４５に回動自在に掛けられて、これにより凹所２０において一端で、隣接するスラット４のうちの上位のスラット４の端部に軸部４５を介して回動自在に連結されており、リンク部材２８は、フック状部４１及び４２がスラット４の端部６の前縁及び後縁に配された軸部４５に回動自在に掛けられて、これにより凹所２０において一端で、隣接するスラット４のうちの下位のスラット４の端部に軸部４５を介して回動自在に連結されており、一対のリンク部材２７及び２８は、軸部３３並びに当該軸部３３に回動自在に巻回した巻回部３７及び３８を介して夫々の他端で互いに回動自在に連結されている。こうして、最上位のスラット４の軸部４５には、フック状部３１及び３２並びにフック状部４１及び４２のうちの一方、本例ではフック状部３１及び３２が、最下位のスラット４の軸部４５には、フック状部３１及び３２並びにフック状部４１及び４２のうちの他方、本例ではフック状部４１及び４２が、最上位と最下位との間のスラット４の軸部４５には、フック状部３１及び３２並びにフック状部４１及び４２が夫々回動自在に掛けられている。
【００３９】
スラット４の軸部４５とフック状部３１及び３２との間には、夫々の相互変位が可能になるように隙間４６が設けられている。本例では、斯かる隙間４６を得るべく、フック状部３１及び３２は、軸部４５が十分な余裕をもって通る細長い空間４７を形成するように曲げられている。
【００４０】
一対の係合部３９及び４０は、リンク列２５及び２６の折り畳みが解除される際に本体２９及び３０の夫々に係合して、リンク列２５及び２６が真っ直ぐになるのを阻止し、これによりリンク列２５及び２６の折り畳みにおけるその折り畳み方向を規定するようになっている。
【００４１】
リンク持上げ機構８は、可撓性の長尺体としてのチェーン５１と、チェーン５１の一端に固着された可動駒５２と、チェーン５１を走行させる走行手段５３とを具備しており、走行手段５３は、チェーン５１が掛けられていると共に、縦枠２に回転自在に支持された回転体としてのスプロケットホイール５４と、スプロケットホイール５４が固着された断面六角形状の回転軸５５と、回転軸５５を出力回転軸とすると共に、縦枠２に支持された減速機５６と、減速機５６の入力回転軸を出力回転軸とすると共に、減速機５６に取付けられた電動モータ５７とを具備している。
【００４２】
チェーン５１は、縦枠２内において縦枠２に一体的に縦方向に伸びて形成された各一対の案内突条５８及び５９により挟まれており、チェーン５１の上下方向の走行は、案内突条５８及び５９により案内されるようになっており、回転軸５５は、縦枠３内まで伸びて当該縦枠３側に配されていると共に、スプロケットホイール５４と同様に構成されたスプロケットホイールに固着されている。
【００４３】
チルト機構９は、最上位のスラット４に固着された揺動自在板６１と、揺動自在板６１に一端で固着されていると共に、スリット１０を通って縦枠２内に伸び、可動駒５２に他端部で回転自在に支持された回動自在軸６２と、一端が回動自在軸６２に固着されていると共に、縦枠２の内部に配された回動自在アーム６３と、回動自在アーム６３の一端に回転自在に取付けられたカムローラ６４と、カムローラ６４が接触すると共に、回動自在アーム６３を最上位のスラット４の上昇及び下降において回動（揺動）させるカム面６０とを具備している。
【００４４】
揺動自在板６１は、回動自在軸６２が固着された揺動自在板本体６５と、揺動自在板本体６５に固着されていると共に、スラット４の半円筒部１８及び１９に挿入された一対の軸部６６とを具備しており、一対の軸部６６は、フック状部３１及び３２が掛けられる軸部４５として利用されている。
【００４５】
回動自在軸６２は、上記のように揺動自在板６１を介して最上位のスラット４の端部６に取り付けられて、装着された滑り軸受７０を介してスリット１０の伸びる方向に摺動自在となっており、カム面６０は、縦枠２の内面６７と、縦枠２の内面６７に取付けられた突起６８の外面６９とを有している。
【００４６】
チルト機構９は、開口部閉鎖状態では、カムローラ６４の外面６９への当接で回動自在アーム６３を図５において反時計回りの方向に回動させて回動自在軸６２を同方向に回動させ、各スラット４を、図２から図４に示すように、互いに間隔を有して傾斜させ、開口部開放状態では、カムローラ６４の内面６７への当接で回動自在アーム６３を図５において時計回りの方向に回動させて回動自在軸６２を同方向に回動させ、各スラット４を、図６から図９に示すように、実質的に水平に配されて互いに重ね合わせるようになっている。
【００４７】
スラット位置保持手段１１の夫々は、剛性細棒状材を折り曲げてなるスラット位置保持部材７１と、スラット位置保持部材７１に挿着された滑り軸受７２とを具備している。スラット位置保持部材７１は、スリット１０を通る一対の本体部７３及び７４と、スラット４の前縁及び後縁の半円筒部１８及び１９に挿入された一対の軸部７５と、一方では、各軸部７５の一端に、他方では、本体部７３及び７４に夫々一体的に連結されていると共に、スラット４の端面に沿って伸びた連結部７７及び７８と、縦枠２内に配された一対の本体部７３及び７４の一端を相互に連結すると共に、スリット１０を介する縦枠２外への抜け出しを防止するように折り曲げられた連結折り曲げ部７９とを有している。
【００４８】
スラット位置保持手段１１は、最上位のスラット４を除く各スラット４の端部６に設けられており、軸部７５は、フック状部３１及び３２並びにフック状部４１及び４２が掛けられる軸部４５として利用されており、而して、リンク列２５及び２６の夫々は、スラット位置保持部材７１の軸部７５を介してスラット４の夫々の端部６に回動自在に連結されている。チルト機構９の回動自在軸６２は、最上位のスラット４に対するスラット位置保持手段として機能している。
【００４９】
縦枠２内において、最下位のスラット位置保持手段１１のスラット位置保持部材７１と縦枠２の底板８０との間には、最下位のスラット４に弾性的な下方向力を付与すべく、コイルばね等のばね手段からなる終端機構が設けられており、終端機構は、図２から図４に示す開口部閉鎖状態で、スラット位置保持部材７１を介して最下位のスラット４が不必要に上昇しないようにしている。尚、終端機構を、ばね手段に代えて又はこれと共にリンク機構で構成してもよい。
【００５０】
以上のブラインド装置１においては、開口部１６の閉鎖に際しては、図示しない操作スイッチ等の操作により電動モータ５７を作動させて、減速機５６及び回転軸５５を介してスプロケットホイール５４を回転させ、チェーン５１を走行させる。チェーン５１の走行で可動駒５２が上昇されると、図８及び図９に示すように、最上位のスラット４が持ち上げられると共に、最上位のスラット４に続くスラット４もリンク機構７を介して順次持ち上げられ、可動駒５２の更なる上昇で、縦枠２の内面６７へのカムローラ６４の接触が解除されて、次にカムローラ６４が外面６９に当接されると、回動自在アーム６３が図５に示すように回動されて、回動自在アーム６３の斯かる方向の回動で、回動自在軸６２及び揺動自在板本体６５を介して、最上位のスラット４が図２に示すように反時計回りの方向に回動され、最上位のスラット４の斯かる方向の回動で、リンク列２６の方がリンク列２５よりも多く持ち上げられて、最上位のスラット４に続く下位の各スラット４が図２から図４に示すように、互いに間隔を有して傾斜され、開口部閉鎖状態にもたらされる。スラット４からなるブラインド５が開口部１６を閉鎖状態にすると、図示しない検出器からの検出信号により電動モータ５７の作動が停止される。
【００５１】
図２から図４に示すブラインド５による開口部１６の閉鎖状態から開口部１６の開放に際しては、図示しない操作スイッチ等の操作により電動モータ５７を前記と逆に作動させて、減速機５６及び回転軸５５を介してスプロケットホイール５４を回転させ、これによりチェーン５１を前記と逆方向に走行させる。チェーン５１の逆走行で可動駒５２が下降されると、最上位のスラット４が下降されると共に、カムローラ６４の外面６９への当接が解除され、次に、カムローラ６４が内面６７に当接されるようになると、回動自在アーム６３が前記と逆方向に回動され、回動自在アーム６３の斯かる方向の回動で、回動自在軸６２及び揺動自在板本体６５を介して最上位のスラット４が前記と逆方向に回動されて実質的に水平に配され、最上位のスラット４の斯かる方向の回動と水平状態への配置とで、リンク列２６の方がリンク列２５よりも多く持ち上げられた状態が解消されて、最上位のスラット４に続く各スラット４が実質的に水平に且つ互いに平行に配されて下降され、最上位のスラット４の更なる下降で、図６から図９に示すように、リンク列２５及び２６の下部から順次折り畳まれると共に、最下位のスラット４から順次互いに重ね合わされ、最後に最上位のスラット４がこの直ぐ下のスラット４に重ね合わされて、開口部開放状態にもたらされる。スラット４からなるブラインド５が開口部１６を開放状態にすると、図示しない検出器からの検出信号により電動モータ５７の逆作動が停止される。
【００５２】
電動モータ５７の作動、逆作動中に、操作スイッチ等の操作により電動モータ５７の作動、逆作動が停止されると、ブラインド５は、開口部１６を途中閉鎖状態又は途中開放状態にする。ブラインド５による開口部１６の途中閉鎖状態又は途中開放状態で操作スイッチ等の操作により電動モータ５７の作動、逆作動が再び行われると、その状態から前記と同様の動作が行われる。
【００５３】
ところで、ブラインド装置１では、リンク列２５及び２６の夫々がスラット４の夫々の端部６に回動自在に連結されて、リンク機構７が縦枠２の外に配されているために、縦枠２を狭幅にでき、しかも、リンク機構７の取り付け作業、保守、点検を容易に行い得、而して、斯かるブラインド装置１をビル等において横方向に並んだ複数の窓の夫々に好ましく並置し得る。
【００５４】
またブラインド装置１によれば、リンク列２５及び２６の夫々が凹所２０及び２１においてスラット４の夫々の端部６に回動自在に連結されているので、リンク機構７が縦枠２の外に配されいても、スラット４と縦枠２との間の隙間をできる限り小さくでき、ブラインド５による開口部閉鎖機能をより完全に得ることができる。
【００５５】
加えて、ブラインド装置１によれば、開口部閉鎖状態では各スラット４が互いに間隔を有して傾斜されているので、この間隔を介して風を逃がすことができる結果、開口部閉鎖状態であって、強風時に各スラット４が風圧により過度に変形されることを防ぎ得る。
【００５６】
更にブラインド装置１によれば、スラット位置保持手段１１により各スラット４の端部６を縦枠２のスリット１０の位置に保持できるので、風等によりブラインド５が揺れることをなくし得る。
【００５７】
またブラインド装置１によれば、一対のリンク部材２７及び２８の夫々が剛性細棒状材を折り曲げてなると共に互いに回動自在に連結されているために、部品点数を減少できて簡単な構造であって、その上、容易に組立てることができる結果、コストを大幅に削減でき、しかも、リンク機構７を軽量化できて軽快なブラインド５の上昇を期待できる。
【００５８】
その上、ブラインド装置１によれば、リンク部材２７及び２８の夫々がフック状部３１及び３２並びにフック状部４１及び４２を具備し、両リンク部材２７及び２８が軸部３３と巻回部３７及び３８とを介して回動自在に連結されているために、各スラット４にフック状部３１及び３２並びにフック状部４１及び４２を介してリンク部材２７及び２８を回動自在に容易に連結でき、而して、リンク機構７とスラット４との組立てを更に容易に行い得る。
【００５９】
加えて、ブラインド装置１によれば、スラット４の端部６の前縁及び後縁の軸部４５にリンク部材２７及び２８のフック状部３１及び３２並びにフック状部４１及び４２を単に引っ掛けてスラット４を連結できるために、リンク機構７とスラット４との組立て、スラット４の交換等におけるブラインド５の分解が更に容易になる。
【００６０】
その上、ブラインド装置１によれば、スラット４の軸部４５とフック状部３１及び３２との相互変位が隙間４６により可能になっているために、開口１６の開口の際におけるスラット４の重ね合わせで、折り畳まれたリンク機構７の各リンク部材２７及び２８をスラット４の形状に沿わせことができ、而して、重ね合わされたスラット４の間隔を極めて短くできる。
【００６１】
また、ブラインド装置１によれば、スラット位置保持手段１１が剛性細棒状材を折り曲げてなるスラット位置保持部材７１を具備し、斯かるスラット位置保持部材７１の一対の軸部７５の夫々がスラット４の前縁及び後縁の半円筒部１８及び１９の夫々に挿入されているために、スラット位置保持手段１１のスラット４への装着、取外しを簡単に行い得ると共に軽量化を図り得、しかも、スラット位置保持部材７１の軸部７５をリンク列２５及び２６の夫々に対する連結機構として利用できるために、スラット４にリンク列２５及び２６の夫々に対する連結機構を特に設けなくてもよく、リンク機構７及びスラット４を極めて軽量かつ単純な形状とできる。
【００６２】
更に、ブラインド装置１によれば、各スラット４がその端部の二箇所でリンク列２５及び２６で支持されているために、リンク列２５及び２６等のいずれかの損傷においても、スラット４の落下の虞を低減でき、フェールセーフなものとなる。
【００６３】
一対のリンク部材としては、上記に代えて、図１３及び図１４に示すようなリンク部材２７及び２８であってもよい。図１３及び図１４において、リンク部材２７は、互いに平行であって円弧状に湾曲された一対の本体８１及び８２と、一対の本体８１及び８２の一方の端部に一体的に設けられたフック状部３１及び３２と、一対の本体８１及び８２の他方の端部に一体的に設けられたフック状部８３及び８４と、フック状部８３及び８４に一体的に設けられていると共に、フック状部８３及び８４を連結した係合部８５とを具備しており、リンク部材２８は、互いに平行であって、本体８１及び８２とは逆方向に円弧状に湾曲されていると共に、本体８１及び８２よりも長い一対の本体９１及び９２と、一対の本体８１及び８２の一方の端部に一体的に設けられたフック状部４１及び４２と、一対の本体８１及び８２の他方の端部に一体的に設けられた軸部９３及び９４と、軸部９３及び９４に、当該軸部９３及び９４を連結して一体的に設けられていると共に、係合部８５に当接して係合されるＵ字状に曲折された被係合部９５とを具備しており、リンク部材２７は、フック状部３１及び３２を介して、より具体的に言うと、フック状部３１及び３２が軸部４５に掛けられて、隣接するスラット４のうちの上位のスラット４に、リンク部材２８は、フック状部４１及び４２を介して、より具体的に言うと、フック状部４１及び４２が軸部４５に掛けられて、夫々回動自在に連結されており、両リンク部材２７及び２８は、夫々の一対の本体８１及び８２並びに９１及び９２の他方の端部において、フック状部８３及び８４が軸部９３及び９４に掛けられて、相互に分離自在であって互いに回動自在に連結されており、本例でも、リンク列２５の折り畳みにおいて両リンク部材２７及び２８の折り畳み方向は、係合部８５と被係合部９５との当接による係合で特定されるようになっている。
【００６４】
図１３及び図１４に示すリンク部材２７及び２８を具備したリンク列２５も、先に記載したリンク列２５と同様に動作する上に、斯かるリンク部材２７及び２８では、リンク部材２７及び２８を相互に折り畳み、フック状部８３及び８４の軸部９３及び９４への引っ掛けを解除することにより、相互に分離できるために、製造、運搬等が極めて容易となる。
【００６５】
【発明の効果】
本発明によれば、縦枠を狭幅にし得て、しかも、リンク機構の取り付け作業、保守、点検を容易に行い得、而して、ビル等において横方向に並んだ複数の窓の夫々に好ましく並置し得、加えて、部品点数を減少できて簡単な構造であって、その上、容易に組立てることができる結果、コストを大幅に削減でき、しかも、ブラインドを軽量化できて軽快なブラインドの上昇を期待できるブラインド装置を提供することができる。
【図面の簡単な説明】
【図１】本発明の好ましい実施の形態の一例の全体斜視図である。
【図２】図１に示す例の一方の縦枠側の上部内側側面図である。
【図３】図１に示す例の一方の縦枠側の上部正面図である。
【図４】図１に示す例の一方の縦枠側の下部内側側面図である。
【図５】図１に示す例の一方の縦枠側の上部断面側面図である。
【図６】図８に示すＶＩ−ＶＩ線矢視断面説明図である。
【図７】図８に示すＶＩＩ−ＶＩＩ線矢視断面説明図である。
【図８】図１に示す例の一方の縦枠側の下部正面図である。
【図９】図１に示す例の一方の縦枠側の下部内側側面図である。
【図１０】図２等に示すスラット及びリンク機構の拡大説明図である。
【図１１】図２等に示す一対のリンク部材の拡大説明図である。
【図１２】図２等に示すスラット及びスラット位置保持部材の分解斜視図である。
【図１３】本発明の好ましい実施の形態の他の例のスラット及びリンク機構の拡大説明図である。
【図１４】図１３に示すリンク機構を用いた例の一方の縦枠側の一部正面図である。
【符号の説明】
１  ブラインド装置
２、３  縦枠
４  スラット
５  ブラインド
６  端部
７  リンク機構
８  リンク持上げ機構
９  チルト機構
【図１】
0004543548.tif 000002
【図２】
0004543548.tif 000003
【図３】
0004543548.tif 000004
【図４】
0004543548.tif 000005
【図５】
0004543548.tif 000006
【図６】
0004543548.tif 000007
【図７】
0004543548.tif 000008
【図８】
0004543548.tif 000009
【図９】
0004543548.tif 000010
【図１０】
0004543548.tif 000011
【図１１】
0004543548.tif 000012
【図１２】
0004543548.tif 000013
【図１３】
0004543548.tif 000014
【図１４】
0004543548.tif 000015